(57)【要約】      （修正有）【課題】製品の種類を増やさなくても様々なフィルタリング周波数に応じた製品を構成することができ、製品の種類を増やすためにかかる製造コストを低減するとともに在庫管理が簡易にできるブロッキングフィルタを提供する。【解決手段】ブロッキングフィルタ１は、ケースの上面に電力線搬送信号の通信信号をフィルタリングするためのコンデンサ５を複数収容する収容部１６ａを備え、収容部１６ａにコンデンサ５のリード差込孔１６ｂを設け、リード差込孔１６ｂにコンデンサ５のリード５ａを差し込むことで回路に接続し、コンデンサ５を着脱可能に設ける。【選択図】図３
2009260760.tif 000002
【特許請求の範囲】
【請求項１】
電力線搬送通信の通信信号が屋外電力線に漏洩するのを阻止するブロッキングフィルタであって、ケースに前記電力線搬送信号の通信信号をフィルタリングするためのコンデンサを複数収容する収容部を備え、該収容部に前記コンデンサを着脱可能に設けたことを特徴とするブロッキングフィルタ。
【請求項２】
前記収容部はリード差込孔が形成され、該リード差込孔に前記コンデンサのリードを差し込むことで前記ケース内部に設けられたソケットに接続されて回路を構成することを特徴とする請求項１に記載のブロッキングフィルタ。
【発明の詳細な説明】
【技術分野】
【０００１】
本発明は、電力線搬送通信において屋外電力線に通信信号が漏洩するのを阻止するためのブロッキングフィルタに関する。
【背景技術】
【０００２】
電力線により通信信号を伝送する電力線搬送通信においては屋外電力線に通信信号が漏洩するのを阻止するためにブロッキングフィルタが設けられる。ブロッキングフィルタは単相３線式電路のＬ１相−Ｎ相間、Ｌ２相−Ｎ相間にコンデンサが接続されてフィルタ回路を構成し、分電盤の主幹ブレーカの電源側又は負荷側に接続されたり、主幹ブレーカに内蔵して設けられている（例えば、特許文献１、特許文献２参照。）。
【０００３】
【特許文献１】特開昭６１−２０６３３１号公報
【特許文献２】特開２００７−２４３４５０号公報
【発明の開示】
【発明が解決しようとする課題】
【０００４】
ブロッキングフィルタはフィルタリングする周波数によって異なる容量のコンデンサが用いられる。このため、フィルタリングする周波数に応じて複数種類のブロッキングフィルタが必要となり、製品の種類が多くなることにより製造コストが高くなるとともに在庫管理が煩雑になるという問題があった。
【課題を解決するための手段】
【０００５】
本発明は、請求項１に記載の発明によれば、電力線搬送通信の通信信号が屋外電力線に漏洩するのを阻止するブロッキングフィルタであって、ケースに電力線搬送信号の通信信号をフィルタリングするためのコンデンサを複数収容する収容部を備え、収容部にコンデンサを着脱可能に設けたことを特徴とする。
【０００６】
請求項２に記載の発明によれば、請求項１に記載のブロッキングフィルタにおいて、収容部はリード差込孔が形成され、リード差込孔にコンデンサのリードを差し込むことでケース内部に設けられたソケットに接続されて回路を構成することを特徴とする。
【発明の効果】
【０００７】
請求項１に記載の発明によれば、外部からコンデンサを組み替えできるので製品の種類を増やさずに様々なフィルタリング周波数に応じた製品を構成することができ、製品の種類を増やすためにかかる製造コストを低減するとともに在庫管理が簡易になるという効果がある。
【０００８】
請求項２に記載の発明によれば、請求項１に記載の発明の効果に加えて、コンデンサの組み替えが工具を必要とすることなく容易にできるという効果がある。
【発明を実施するための最良の形態】
【０００９】
ブロッキングフィルタは、ケースの上面に電力線搬送信号の通信信号をフィルタリングするためのコンデンサを複数収容する収容部を備え、収容部にコンデンサのリード差込孔を設け、リード差込孔にコンデンサのリードを差し込むことで回路に接続し、コンデンサを着脱可能に設ける。
【実施例】
【００１０】
本発明に係るブロッキングフィルタの実施例を図１〜図７の添付図面に基づいて説明する。
【００１１】
ブロッキングフィルタ１は、電力線搬送通信の通信信号が屋外電力線２に漏洩するのを阻止するために分電盤３内に設けられ、主幹ブレーカ４の負荷側に接続される。
【００１２】
ブロッキングフィルタ１は、単相３線式電路のＬ１相−Ｎ相間、Ｌ２相−Ｎ相間に通信信号をフィルタリングして屋外に漏洩するのを防止するためのコンデンサ５と、通電確認のためのＬＥＤ６が接続され、Ｌ１相及びＬ２相には回路を保護するためのヒューズ７及び、ＬＥＤ６を保護するための電流制限用の抵抗８と、整流用のダイオード９が直列に接続されて回路を構成している。これらの回路を構成する電子部品はプリント基板１０に実装され、コンデンサ５はフィルタリングする周波数によって容量が異なるため、複数対のソケット１１が設けられてコンデンサ５が取り替えできるようになっている。また、各相に接続するためのリード線１２を接続するコネクタ１３が設けられている。
【００１３】
プリント基板１０は、ケース１４の基台１５に載置され、カバー１６で施蓋されて収容される。カバー１６の上面にはコンデンサ５を収容するための凹状の収容部１６ａが形成され、収容部１６ａにはソケット１１の位置に対応してリード差込孔１６ｂが形成されて、リード差込孔１６ｂに差し込まれたコンデンサ５のリード５ａがプリント基板１０のソケット１１に接続するようになっている。本実施例では、Ｌ１相−Ｎ相間、Ｌ２相−Ｎ相間を区別して接続するために左右２列に収容部１６ａが形成され、各収容部１６ａにはコンデンサ５が３個まで接続できるようになっている。また、収容部１６ａは収容部カバー１７により着脱自在に施蓋される。
【００１４】
また、カバー１６の上面にはＬＥＤ６が視認可能に露出して設けられ、側面にはヒューズ７が交換できるようにヒューズケース１８が設けられている。更に、カバー１６の上面にはコネクタ１３を接続するための接続孔１６ｃが設けられ、この接続孔１６ｃにリード線１２のコネクタ１２ａを差し込むことでプリント基板１０のコネクタ１３に接続されるようになっている。
【００１５】
このように形成されたブロッキングフィルタ１はケース１４の底面に面ファスナー１９ａが貼着され、主幹ブレーカ４の側面にケース１４の面ファスナー１９ａと対応する面ファスナー１９ｂが貼着される。そして、ブロッキングフィルタ１の面ファスナー１９ａを主幹ブレーカ４の面ファスナー１９ｂと接合させて主幹ブレーカ４の側面にブロッキングフィルタ１が装着される。ブロッキングフィルタ１と主幹ブレーカ４の接続は、各リード線１２を主幹ブレーカ４の各相の負荷側端子４ａに負荷側配線２０と共締めされて接続される。接続が正常にできたかどうかはＬＥＤ６の点灯により確認できる。
【００１６】
このように設けられたブロッキングフィルタ１は、コンデンサ５により電力線搬送通信の通信信号がフィルタリングされて屋外に漏洩するのを阻止する。また、フィルタリングする周波数を変更したい場合は収容部カバー１７を取り外し、収容部１６ａのコンデンサ５を差し替えることで容易に変更できる。尚、ブロッキングフィルタ１のケース１４は主幹ブレーカ４に面ファスナー１９ａ，１９ｂにより着脱可能に固定されているのでコンデンサ差し替え時に主幹ブレーカ４からケース１４を取り外すと作業がしやすい。
【００１７】
尚、本実施例において、ブロッキングフィルタの回路をコンデンサ、ＬＥＤ、抵抗、ダイオード、ヒューズで構成したが、コンデンサが差し替えできる構成であれば回路について限定はない。
【図面の簡単な説明】
【００１８】
【図１】本発明に係るブロッキングフィルタを搭載した分電盤のブロック図である。
【図２】本発明に係るブロッキングフィルタの回路図である。
【図３】本発明に係るブロッキングフィルタの分解斜視図である。
【図４】本発明に係るブロッキングフィルタを示す斜視図である。
【図５】本発明に係るブロッキングフィルタの裏側を示す斜視図である。
【図６】本発明に係るブロッキングフィルタをブレーカに取り付ける前の様子を示す斜視図である。
【図７】本発明に係るブロッキングフィルタをブレーカに取り付けた後の様子を示す斜視図である。
【符号の説明】
【００１９】
１    ブロッキングフィルタ
２    屋外電力線
３    分電盤
４    主幹ブレーカ
５    コンデンサ
５ａ    リード
１１    ソケット
１２    リード線
１３    コネクタ
１４    ケース
１６ａ    収容部
１６ｂ    リード差込孔
１７    収容部カバー
【図１】
2009260760.tif 000003
【図２】
2009260760.tif 000004
【図３】
2009260760.tif 000005
【図４】
2009260760.tif 000006
【図５】
2009260760.tif 000007
【図６】
2009260760.tif 000008
【図７】
2009260760.tif 000009